(57)【要約】【課題】  表示装置において、表示パネルの走査方向が変わる場合においても、光源の点灯タイミングを制御することで、表示パネルの透過率に起因する動きボケを低減すること。【解決手段】  表示モードに応じて、表示パネルの走査方向を制御する表示制御手段と、  前記表示パネルに対応した領域に対して、複数に分割された領域毎に点灯制御が可能な光源を制御する光源制御手段と、を有する。前記表示制御手段は、第１の表示モードと第２の表示モードとで、前記表示パネルの走査方向を異ならせ、前記光源制御手段は、前記表示パネルの走査方向に応じて、前記複数に分割された領域の点灯順を変える。【選択図】  図１
2015114443.tif 000002
【特許請求の範囲】
【請求項１】
複数の表示モードに応じて、表示パネルの走査方向を制御する表示制御手段と、
前記表示パネルに対応した領域に対して、複数に分割された領域毎に点灯制御が可能な光源を制御する光源制御手段と、を有し、
前記表示制御手段は、前記複数の表示モードに応じて、前記表示パネルの走査方向を異ならせ、
前記光源制御手段は、前記表示パネルの走査方向に応じて、前記複数に分割された領域の点灯順を変えることを特徴とする表示装置。
【請求項２】
前記光源制御部は、前記表示パネルにおいて、前記表示制御手段により走査された、表示パネルの目標透過率に対する実際の透過率の割合が所定値以上である前記表示パネルの領域に対応する光源を点灯させるように制御することを特徴とする請求項１に記載の表示装置。
【請求項３】
第１の表示モードにおいて、前記表示制御手段は、前記表示パネルの上部から下部へ走査を行うように制御し、前記光源制御手段は、前記表示パネルの上部に対応した光源から順次前記下部に対応した光源を点灯させるように制御し、
第２の表示モードにおいて、前記表示制御手段は、前記表示パネルの下部から上部へ走査を行うように制御し、前記光源制御手段は、前記表示パネルの下部に対応した光源から順次前記上部に対応した光源を点灯させるように制御することを特徴とする請求項１または２に記載の表示装置。
【請求項４】
前記第２の表示モードにおいて、前記表示制御手段は、光源側から前記表示パネルに対して、前記表示パネルの下部の右側から左側へ走査を行うように制御し、順次上部へ走査を行うように制御する場合、前記光源制御手段は、前記表示パネルの下部の右側に対応した光源から前記左側に対応した光源を点灯させるように制御し、順次前記上部に対応した光源を点灯させるように制御することを特徴とする請求項３に記載の表示装置。
【請求項５】
第３の表示モードにおいて、前記表示制御部は、光源側から前記表示パネルに対して、前記表示パネルの下部の左側から右側へ走査を行うように制御し、順次上部へ走査を行うように制御する場合、前記光源制御手段は、前記表示パネルの下部の左側に対応した光源から前記右側に対応した光源を点灯させるように制御し、順次前記上部に対応した光源を点灯させるように制御することを特徴とする請求項３または４に記載の表示装置。
【請求項６】
光源と、前記光源から出力された光が前記表示パネルを透過した光を投影する投影光学系とを有することを特徴とする請求項１から５の何れか一項に記載の表示装置。
【請求項７】
前記光源は、少なくとも複数の光源ユニットと複数のレンズとで構成されることを特徴とする請求項１から６の何れか一項に記載の表示装置。
【請求項８】
表示モードに応じて、表示パネルの走査方向を制御する表示制御ステップと、
前記表示パネルに対応した領域に対して、複数に分割された領域毎に点灯制御が可能な光源を制御する光源制御ステップと、を有し、
前記表示制御ステップにおいて、第１の表示モードと第２の表示モードとで、前記表示パネルの走査方向を異ならせ、
前記光源制御ステップにおいては、前記表示パネルの走査方向に応じて、前記複数に分割された領域の点灯順を変えることを特徴とする表示装置の制御方法。
【発明の詳細な説明】
【技術分野】
【０００１】
本発明は、表示装置及び表示装置の制御方法に関するものである。
【背景技術】
【０００２】
従来、表示装置として液晶パネルを使用した液晶プロジェクタが知られている。表示パネル（液晶パネル）を使用した表示装置は、動画表示時に動き部分の輪郭がぼけて表示される動きボケが発生してしまう。この動きボケの原因として、液晶パネルの応答特性があげられる。例えばｎフレーム目を表示する際、液晶はｎ−１フレーム目の画像データに基づいた液晶パネルの目標透過率を保持している状態から、次のｎフレーム目の画像データに基づいた液晶パネルの目標透過率になるまでに時間を要する。表示する画像データに基づいた液晶パネルの目標透過率に対する実際の透過率の割合が所定値以上になるまでの期間は液晶が不定な状態にあり、この期間に液晶パネルに照射された光がユーザに見えてしまっていることが、動きボケの要因となりうる。
【０００３】
この動きボケを低減する方法として、特許文献１では液晶ディスプレイにおいて、液晶パネルの走査開始情報と液晶の応答特性をもとに光源の点灯は部分的に制御される。そして、表示する画像データに基づいた液晶パネルの目標透過率に対する実際の透過率の割合が所定値未満の液晶パネルの領域に対応した光源を消灯することで動きボケを解消している。
【先行技術文献】
【特許文献】
【０００４】
【特許文献１】特開２００７−１４８４４４号公報
【発明の概要】
【発明が解決しようとする課題】
【０００５】
液晶プロジェクタにおいても、複数の光源をそれぞれ液晶パネルに対して複数の分割領域毎に対応して配置することで、光源の部分的な制御が可能となるが、従来の液晶ディスプレイの動きボケ解消の技術を採用しただけでは不十分である。液晶プロジェクタは、液晶プロジェクタを机などの上に置いて使用する通常投影モードや、天井等から液晶プロジェクタ本体を逆さ向きに固定して投影する天吊り投影モード等、異なる表示モードを有する。従って、液晶プロジェクタでは、従来の液晶ディスプレイでは存在しない、通常投影モードや天吊り投影モード等における、表示パネルの走査方向と複数の光源の制御の関係について考慮する必要がある。
【０００６】
そこで本発明は、表示パネルの走査方向が切り替えられた場合においても、光源の点灯タイミングを制御することで、表示パネルの応答特性に起因する動きボケを低減することを目的とする。
【課題を解決するための手段】
【０００７】
上記目的を達成するために、本発明に係る表示装置は、表示モードに応じて、表示パネルの走査方向を制御する表示制御手段と、前記表示パネルに対応した領域に対して、複数に分割された領域毎に点灯制御が可能な光源を制御する光源制御手段と、を有し、前記表示制御手段は、第１の表示モードと第２の表示モードとで、前記表示パネルの走査方向を異ならせ、前記光源制御手段は、前記表示パネルの走査方向に応じて、前記複数に分割された領域の点灯順を変えることを特徴とする。
【発明の効果】
【０００８】
本発明によれば、表示パネルの走査方向が変わる場合においても、光源の点灯タイミングを制御することで、表示パネルの応答特性に起因する動きボケを低減することができる。
【図面の簡単な説明】
【０００９】
【図１】液晶表示装置の構成例を示すブロック図である。
【図２】各実施形態における光源の概略図である。
【図３】複数の分割領域毎に点灯制御するための光源の概略図である。
【図４】表示モードの切り替えによる制御処理を示すフローチャートである。
【図５】実施形態１における、各表示モードでの液晶パネルの垂直走査方向と光源の点灯制御の概略図である。
【図６】実施形態２における、各表示モードでの液晶パネルの走査方向を示す概略図である。
【図７】各表示モードにおける、液晶パネルへ入力する画像と、液晶パネルの走査方向を示す概略図である。
【図８】各表示モードでの液晶パネルの垂直走査方向と光源の点灯制御の概略図である。
【発明を実施するための形態】
【００１０】
以下、添付図面を参照して、本発明の実施形態を説明する。
【００１１】
（実施形態１）
図１は、本実施形態に係る液晶表示装置１００の構成例を示すブロック図である。液晶表示装置１００は、投影光学系１０１、合成部１０２、液晶パネル１０３、分離部１０４、光源１０５を有する。光源１０５から出力された光は、分離部１０４で赤（Ｒ）、緑（Ｇ）、青（Ｂ）に分離され、それぞれ液晶パネル１０３Ｒ、１０３Ｇ、１０３Ｂに入射する。液晶パネル１０３Ｒ、１０３Ｇ、１０３Ｂをそれぞれ透過した光は合成部１０２で合成され、投影光学系１０１から不図示のスクリーン等に投影される。
【００１２】
本実施形態において、光源１０５は、複数の領域に分割された領域毎に点灯制御が可能であり、液晶パネルに対して、上部領域、中部領域、下部領域の３つの領域に分割して制御される。そして、液晶表示装置１００は、通常投影モードと天吊り投影モードの２つの表示モードを有し、表示モードに応じて液晶パネルの走査方向を異ならせ、液晶パネルの走査方向に応じて、３つに分割された領域の点灯順を変える。光源の点灯タイミングを制御することで、液晶パネルの応答特性に起因する動きボケを低減することが可能となる。
【００１３】
投影光学系１０１は、複数のレンズ、レンズ駆動用のアクチュエータ等からなる。合成部１０２は、液晶パネル１０３Ｒ、１０３Ｇ、１０３Ｂを透過した赤（Ｒ）、緑（Ｇ）、青（Ｂ）の光を合成するものであり、例えば、ダイクロイックミラーやプリズムなどからなる。そして、合成部１０２により赤（Ｒ）、緑（Ｇ）、青（Ｂ）の成分を合成した光は、投影光学系１０１に送られる。
【００１４】
液晶パネル１０３Ｒは、赤色に対応する液晶素子であって、光源１０５から出力された光が分離部１０４で分離された、赤（Ｒ）、緑（Ｇ）、青（Ｂ）の光のうち、赤（Ｒ）の光の透過率を調整するためのものである。液晶パネル１０３Ｇは、緑色に対応する液晶素子であって、光源１０５から出力された光が分離部１０４で分離された、赤（Ｒ）、緑（Ｇ）、青（Ｂ）の光のうち、緑（Ｇ）の光の透過率を調整するためのものである。液晶パネル１０３Ｂは、青色に対応する液晶素子であって、光源１０５から出力された光が分離部１０４で分離された、赤（Ｒ）、緑（Ｇ）、青（Ｂ）の光のうち、青（Ｂ）の光の透過率を調整するためのものである。
【００１５】
分離部１０４は、光源１０５から出力された光を、赤（Ｒ）、緑（Ｇ）、青（Ｂ）に分離するものであり、例えば、ダイクロイックミラーやプリズムなどからなる。光源１０５は、不図示のスクリーンに画像を投影するための光を出力するものであり、例えば、ハロゲンランプ、キセノンランプ、高圧水銀ランプ、ＬＥＤなどで構成される。なお、光源１０５として、赤（Ｒ）、緑（Ｇ）、青（Ｂ）の各色に対応するＬＥＤ等を使用する場合には、分離部１０４は不要である。
【００１６】
光学系制御部１０６は、アクチュエータを駆動してレンズの位置を調整することで、投影光学系１０１の制御を行い、スクリーンに投影する画像の拡大、縮小、焦点調整などを制御する。光学系制御部１０６は、投影光学系１０１を制御するマイクロプロセッサからなるが、専用のマイクロプロセッサでなく、例えば、ＲＯＭ１１１に記憶されたプログラムによって、ＣＰＵ１１０が光学系制御部１０６と同様の処理を実行しても良い。
【００１７】
液晶制御部１０７は、画像処理部１０８で処理された画像データに基づいて、画像データに対応する光の透過率となるように、液晶パネル１０３Ｒ、１０３Ｇ、１０３Ｂそれぞれの液晶素子に印加する電圧を制御するための走査信号を生成する。液晶制御部１０７は、生成した走査信号を用いて液晶パネル１０３を走査して、液晶パネルの透過率を調整する。そのため、液晶パネル１０３を透過し、合成部１０２により合成された光は、投影光学系１０１によりスクリーンに投影されると、画像処理部１０８により入力された画像データに対応する画像がスクリーン上に表示される。
【００１８】
また液晶制御部１０７は、後述する液晶表示装置１００の表示モードに応じて、液晶パネルの走査方向を変更することができる。液晶制御部１０７は、専用のマイクロプロセッサで構成しても、ＲＯＭ１１１に記憶されたプログラムによって、ＣＰＵ１１０が液晶制御部１０７と同様の処理を実行するように構成しても良い。
【００１９】
画像処理部１０８は、表示する画像信号のフレーム数や、画素数、画像形状などに変更処理を施して、液晶制御部１０７に送信するものであり、例えば画像処理用のマイクロプロセッサからなる。画像処理部１０８は、表示する画像データに対して、フレーム間引き処理、フレーム補間処理、解像度変換処理、歪み補正処理（キーストン補正処理）といった機能を実行することが可能である。画像処理部１０８は、画像入力部１１４から入力された画像データや、通信部１１５から入力された画像データに対して、前述の処理を行う。また、画像処理部１０８は、液晶表示装置１００を制御するための操作画面用の画像データを生成することもできる。画像処理部１０８は、専用のマイクロプロセッサである必要はなく、例えば、ＲＯＭ１１１に記憶されたプログラムによって、ＣＰＵ１１０が画像処理部１０８と同様の処理を実行しても良い。
【００２０】
光源制御部１０９は、光源１０５の点灯・消灯の制御や光量の制御をするものであり、制御用のマイクロプロセッサからなる。本実施形態において光源制御部１０９は、光源１０５を複数の領域に分割した領域毎に点灯制御が可能である。そして光源制御部１０９は、後述する液晶表示装置１００の表示モードに応じて、複数の分割領域の点灯順序を変更することができる。なお、光源制御部１６０は、専用のマイクロプロセッサである必要はなく、例えば、ＲＯＭ１１１に記憶されたプログラムによって、ＣＰＵ１１０が光源制御部１０９と同様の処理を実行しても良い。
【００２１】
ＣＰＵ１１０は、液晶表示装置１００の各動作ブロックを制御するものあり、ＲＯＭ１１１は、ＣＵＰ１１０の処理手順を記述した制御プログラムを記憶するためのものである。また、ＲＡＭ１１２は、ワークメモリとして一時的に制御プログラムやデータを格納する。ＣＰＵ１１０は、画像入力部１１４や通信部１１５から入力された画像データや動画データを一時的に記憶し、ＲＯＭ１１１に記憶されたプログラムを用いて、それぞれの画像や映像を再生したりすることもできる。
【００２２】
操作部１１３は、ユーザの指示を受け付け、ＣＰＵ１１０に指示に応じた制御信号を送信するものであり、例えば、スイッチやダイヤル、不図示の表示部上に設けられたタッチパネルなどからなる。また、操作部１１３は、例えば、リモコンからの信号を受信する信号受信部（赤外線受信部など）で、受信した信号に基づいて所定の指示信号をＣＰＵ１１０に送信するものであってもよい。ＣＰＵ１１０は、操作部１１３や通信部１１５から入力された制御信号を受信して、液晶表示装置１００の各動作ブロックを制御する。
【００２３】
画像入力部１１４は、外部装置から画像データを受信するものであり、例えば、コンポジット端子、Ｓ映像端子、Ｄ端子、コンポーネント端子、アナログＲＧＢ端子、ＤＶＩ−Ｉ端子、ＤＶＩ−Ｄ端子、ＨＤＭＩ（登録商標）端子等を含む。また、アナログ映像信号を受信した場合には、受信したアナログ映像信号をデジタル映像信号に変換する。そして、受信した映像信号を、画像処理部１０８に送信する。ここで外部装置とは、映像信号を出力できるものであればよく、例えば、パーソナルコンピュータ、カメラ、携帯電話、スマートフォン、ハードディスクレコーダ、ゲーム機などである。
【００２４】
通信部１１５は、外部機器からの制御信号や画像データなどを受信するためのものであり、例えば、無線ＬＡＮ、有線ＬＡＮ、ＵＳＢ、Ｂｌｕｅｔｏｏｔｈ（登録商標）などで構成され、通信方式を特に限定するものではない。また、画像入力部１１４の端子が、例えばＨＤＭＩ（登録商標）端子であれば、その端子を介してＣＥＣ通信を行うものであっても良い。内部バス１１６は、液晶表示装置１００の各ブロックの間で、各種のデータやコマンドを転送するために用いられる。
【００２５】
また、液晶表示装置１００は、図１に図示したブロック以外にも、記録媒体や記録媒体に対して画像データを保存、読み出しが可能な記録再生部を備えていてもよい。この場合、画像入力部１１４や通信部１１５から入力された画像データ等を、記録再生部により記録媒体に記録することが可能である。記録媒体は、液晶表示装置１００に対して着脱可能な記録媒体であっても、内蔵型の記録媒体であってもよい。
【００２６】
更に、液晶表示装置１００は、表示部や表示制御部を備えていてもよく、表示制御部は表示部に、液晶表示装置１００を操作するための操作画面やスイッチアイコン等の画像を表示させることができる。表示部は、液晶ディスプレイ、ＣＲＴディスプレイ、有機ＥＬディスプレイ、ＬＥＤディスプレイなどのディスプレイであっても、ユーザに液晶表示装置１００の状態を認識可能に掲示するために、各動作に対応するＬＥＤ等を発光させるものであってもよい。
【００２７】
また、液晶表示装置１００は、レンズやレンズを駆動するアクチュエータを含む撮像部を有していてもよい。撮像部は、液晶表示装置１００の周辺（例えばユーザ）を撮影して画像データを取得したり、投影光学系１０１により投影された画像を撮影（スクリーン方向を撮影）したりすることができる。
【００２８】
本実施形態における液晶表示装置１００による投影処理の基本動作を説明する。操作部１１３や不図示のリモコンによりユーザが液晶表示装置１００の電源のオンを指示すると、ＣＰＵ１１０は、不図示の電源部から液晶表示装置１００の各部に不図示の電源回路から電源を供給が供給する。
【００２９】
ＣＰＵ１１０は投影処理として、表示する画像データを画像処理部１０８に送信する。画像処理部１０８は、画像の画素数やフレームレートの変更、形状の変形等の必要な処理を実行し、処理された画像データを液晶制御部１０７に送信する。ＣＰＵ１１０は、液晶制御部１０７に、受信した画像データの赤（Ｒ）、緑（Ｇ）、青（Ｂ）の各色成分の階調レベルに応じた透過率となるように、液晶パネル１０３Ｒ、１０３Ｇ、１０３Ｂそれぞれの透過率を制御させる。そして、ＣＰＵ１１０は、光源制御部１０９に光源１０５からの光の出力を制御させる。
【００３０】
分離部１０４により、光源１０５から出力された光は、赤（Ｒ）、緑（Ｇ）、青（Ｂ）に分離され、それぞれの光は、液晶パネル１０３Ｒ、１０３Ｇ、１０３Ｂに供給される。液晶パネル１０３Ｒ、１０３Ｇ、１０３Ｂに供給された各色の光のうち、各液晶パネルの各画素の透過率に応じた光量が透過する。そして、液晶パネル１０３Ｒ、１０３Ｇ、１０３Ｂを透過した赤（Ｒ）、緑（Ｇ）、青（Ｂ）それぞれの光は、合成部１０２に供給され合成される。そして、合成部１０２で合成された光は、投影光学系１０１を介して、不図示のスクリーンに投影される。
【００３１】
以上の投影処理は、画像を投影している間、１フレーム分の画像データ毎に順次、実行されている。投影する画像は、画像入力部１１４や通信部１１５から入力された画像データや、画像処理部１０７が生成した走査画面等の画像データ、また不図示の記録媒体に記録された画像データや撮像部により撮影された画像データ等である。
【００３２】
次に、本実施形態における液晶表示装置１００の表示モードについて説明する。本実施形態においては、通常投影モードと天吊り投影モードを有しているものとする。通常投影モードは、液晶表示装置１００を机などの上に置いて使用する場合の表示モードであり、天吊り投影モードは、天井等から液晶表示装置１００本体を逆さ向きに固定して使用する場合の表示モードである。
【００３３】
図７（ａ）は、通常投影モードのときに、液晶パネルへ入力する画像と、液晶パネルの走査方向を示している。通常、入力される画像データは、画像の左上から順次入力されて液晶パネルの左上から順次走査され、出力される。
【００３４】
一方天吊り投影モードにおいて、図７（ｂ）のように、入力された画像データを左右上下に反転（１８０度回転）させて出力する場合、画像の左上のデータは液晶パネルの右下に入力されるため、入力される画像データは、液晶パネルの右下から順次走査される。天吊り投影モードにおいては、液晶パネルへ入力する画像データ自体を１８０度回転させ、通常投影モードと同様に液晶パネルの左上から右下に向かって順次走査する方法もある。しかし、入力するための画像データを、１８０度回転させて作成する処理に時間を要するため、液晶パネルを走査するまでに遅延が発生してしまう。よって、本実施例において天吊り投影モードでは、入力された画像データを左右上下に反転（１８０度回転）させて出力する。
【００３５】
図８に通常投影モードと天吊り投影モードとにおける、液晶パネルの垂直走査方向と光源の点灯制御の概略図を示す。図８に示す制御では、光源の点灯制御は、通常投影モードと天吊り投影モードとで同じである。液晶パネルは垂直方向にＬライン分の液晶素子を有し、通常投影モードでは上部領域（０ライン）から走査され、天吊り投影モードでは下部領域（Ｌ−１ライン）から走査される。グレー色部分の期間Ｔ１では、表示する画像データに基づいた液晶パネルの目標透過率に対する実際の透過率の割合が、所定値未満となっている。そして白色部分の期間Ｔ２では、表示する画像データに基づいた液晶パネルの目標透過率に対する実際の透過率の割合が、所定値以上となっているものとする。
【００３６】
図７（ａ）に示すように、光源を液晶パネルに対して垂直方向に上部（Ａ１）、中部（Ａ２）、下部（Ａ３）の３つの領域に分割して制御する場合、通常投影モードでは、図８（ａ）に示すように光源は上部から順に分割領域Ａ１、Ａ２、Ａ３の順で点灯させる。このようにすることで、点灯している分割領域に対応する液晶パネルの領域において、表示する画像データに基づいた液晶パネルの目標透過率に対する実際の透過率の割合が所定値以上となり、動きボケを低減できる。
【００３７】
しかし、天吊り投影モードにおいては、図８（ｂ）に示すように制御すると、液晶パネルは分割領域Ａ３に対応する下部領域から走査されていく。そのため、通常投影モードと同様に光源を制御すると、分割領域Ａ１が点灯しているとき、分割領域Ａ１に対応する液晶パネルの上部領域では期間Ｔ１にあり、まだ液晶パネルの目標透過率に対する実際の透過率の割合が、所定値に達していない。
【００３８】
図２（ａ）は、本実施形態における光源１０５の点灯制御を行う分割領域を示す。光源１０５は、複数の領域に分割された領域毎に点灯制御が可能であり、本実施形態では、液晶パネル（「Ｆ」の画像を表示）に対して、上部領域（分割領域Ａ１）、中部領域（分割領域Ａ２）、下部領域（分割領域Ａ３）の３つの領域に分割して制御される。
【００３９】
図３（ａ）は、複数の領域に分割された領域毎に点灯制御するための光源１０５の概略図を示す。図３（ａ）に示す光源１０５は、光源ユニット３０１〜３０３、レンズ３０４〜３０６で構成される。例えば、光源ユニット３０１〜３０３はＬＥＤ、レンズ３０４及びレンズ３０５はフライアイレンズであり、レンズ３０６はコンデンサレンズである。光源ユニット３０１〜３０３から出力されたそれぞれの平行光束は、レンズ３０４〜３０６を透過して、被照射面（液晶パネル）３０７の全域を均一に照射することが可能になる。本実施形態においては、レンズ３０６と被照射面３０７の間に、図１に示す分離部１０４を設ける。光源ユニット３０１〜３０３から出力され、レンズ３０４〜３０６を透過した光は、分離部１０４により赤（Ｒ）、緑（Ｇ）、青（Ｂ）に分離される。分離された光がそれぞれ液晶パネル１０３Ｒ、１０３Ｇ、１０３Ｂに入射することになる。
【００４０】
図３（ｂ）は、各光源ユニットと液晶パネル上での各分割領域の点灯状態の関係を示している。図３（ａ）に示した光源１０５を用いることで、図３（ｂ）に示すように、複数の領域に分割された領域毎に点灯制御が可能である。光源ユニット３０１により液晶パネルの上部領域（分割領域Ａ１）が点灯し、光源ユニット３０２により液晶パネルの中部領域（分割領域Ａ２）が点灯し、光源ユニット３０３により液晶パネルの下部領域（分割領域Ａ３）が点灯する。
【００４１】
図４は、本実施形態における、液晶表示装置１００の表示モードの切り替えによる制御処理を示すフローチャートである。図４の処理はＣＰＵ１１０が各部を制御することにより実行される。図４の処理は、液晶表示装置１００の電源が入れられたときや、操作部１１３等からユーザにより表示モードに関する指示が入力された場合に開始される。
【００４２】
ＣＰＵ１１０は、ステップＳ４０１において、表示モードが天吊り投影モードか否かを判別する。通常投影モードである場合（ステップＳ４０１でＮｏ）には、ステップＳ４０２においてＣＰＵ１１０は、液晶制御部１０７に、液晶パネル１０３の上部領域から下部領域に走査するように制御させる。通常投影モードでは、液晶制御部１０７は、入力される画像データに応じて、液晶パネル１０３を上部領域から下部領域の方向へ走査する。具体的には、液晶パネルは左上から走査が開始され、水平走査方向は左から右の方向、垂直走査方向は上から下の方向になるように、順次走査される。
【００４３】
図５（ａ）に本実施形態の通常投影モードにおける、液晶パネルの垂直走査方向と光源の点灯制御の概略図を示す。通常投影モードでは、液晶パネル１０３は上部領域（０ライン）から順次走査される。グレー色部分の期間Ｔ１では、表示する画像データに基づいた液晶パネルの目標透過率に対する実際の透過率の割合が、所定値未満となっている。そして白色部分の期間Ｔ２では、表示する画像データに基づいた液晶パネルの目標透過率に対する実際の透過率の割合が、所定値以上となっているものとする。
【００４４】
図５に示す、各分割領域の点灯時間は、予め設定されている時間でもよいし、ＲＯＭ１１１に予め記憶しておいた液晶パネルの応答特性や、随時測定した液晶パネルの応答特性に基づいて求めた時間でもよい。図５に示した各分割領域の制御パルス信号では、各分割領域の点灯時間が他の分割領域の点灯時間と重ならないように設定されているが、同時に複数の分割領域が点灯する時間を設けてもよい。液晶パネルが１フレーム分の画像データに基づく走査信号により駆動されている状態で、複数の領域に分割した全ての分割領域が点灯するように、各分割領域の点灯時間を調整する。
【００４５】
またＣＰＵ１１０は、ステップＳ４０３において、光源制御部１０９に、複数の領域に分割された光源１０５の上部領域から順次下部領域が点灯するように制御させる。具体的には光源制御部１０９は、分割領域Ａ１、Ａ２、Ａ３の順に点灯するように制御する。光源制御部１０９は、各分割領域が対応する液晶パネルの領域の透過率において、表示する画像データに基づいた液晶パネルの目標透過率に対する実際の透過率の割合が所定値以上となっている状態で、各分割領域が点灯するように制御するのが望ましい。このように制御することで、動きボケを低減することが可能になる。
【００４６】
ステップＳ４０１において天吊り投影モードであった場合には、ステップＳ４０４においてＣＰＵ１１０は、液晶制御部１０７に、液晶パネル１０３の下部領域から上部領域に走査するように制御させる。天吊り投影モードでは、通常投影モードの際に液晶パネルの入力される画像に対して左右及び上下が反転した画像が入力される。つまり、液晶パネルの右下部分から走査するべき画像データから順次液晶制御部１０７に入力され、図７（ｂ）に示すように、液晶パネルの水平走査方向は右から左の方向、垂直走査方向は下から上の方向となる。
【００４７】
続いてＣＰＵ１１０は、ステップＳ４０５において、光源制御部１０９に、複数の領域に分割された光源１０５の点灯順序を、下部領域から順次上部領域が点灯するように制御させる。具体的には光源制御部１０９は、分割領域Ａ３、Ａ２、Ａ１の順に点灯するように制御する。図５（ｂ）に天吊り投影モードにおける、液晶パネルの垂直走査方向と光源の点灯制御の概略図を示す。天吊り投影モードでは、液晶パネル１０３は下部領域（Ｌ−１ライン）から順次走査される。
【００４８】
ステップＳ４０６において、ＣＰＵ１１０はユーザ等により表示モードが変更されたか否かを判別し、表示モードが変更されたらステップＳ４０１に戻って処理を続ける。表示モードが変更されない場合には、液晶制御部１０７及び光源制御部１０９を制御するための設定を、ＣＰＵ１１０はＲＯＭ１１１に記録して本処理を終了する。
【００４９】
本実施形態のように、光源１０５の各分割領域の点灯時間を１フレームの表示時間より短く設定することで、光源１０５の全分割領域を常時点灯する場合に比べると、投影される画像の明るさが落ちるという課題がある。この課題に対しては、光源に印加する電流値を制御して、各分割領域の光量を増加させることで対応可能である。また、ＣＰＵ１１０は、各分割領域に対応する画像データの値に応じて決定した各分割領域の発光量で、各分割領域の点灯を制御するように光源制御部１０９を制御すると共に、液晶制御部１０７により画像データが調整されるように制御してもよい。
【００５０】
以上のように、異なる表示モードを有する表示装置において、表示パネルの走査方向が変わる場合においても、光源の点灯タイミングを制御することで、表示パネルの応答特性に起因する動きボケを低減することができる。
【００５１】
（実施形態２）
本実施形態においては、図２（ｂ）に示すように、光源１０５が９つの分割領域ａ１〜ａ９に分割して点灯制御が可能となっている点が実施形態１と異なる。また、本実施形態においては、実施形態１で説明した通常投影モードと天吊り投影モードに加えて、天吊りリアプロ（リアプロジェクション）投影モードを有する。
【００５２】
本実施形態において、光源１０５は、液晶パネルに対して、上部領域、中部領域、下部領域、更に光源側から表示パネルに対して右側、中央、左側の全部で９つの領域に分割して制御される。実施形態１では図３（ａ）に示したように、光源１０５の光源ユニットが一次元方向（上下方向）に配置されたが、本実施形態では光源ユニットは、二次元的（上下左右）に９つ配置される。そして、液晶表示装置１００は、通常投影モード、天吊り投影モード、天吊りリアプロ投影モードの３つの表示モードを有し、表示モードに応じて液晶パネルの走査方向を異ならせ、液晶パネルの走査方向に応じて、９つに分割された領域の点灯順を変える。光源の点灯タイミングを制御することで、液晶パネルの透過率に起因する動きボケを低減することが可能となる。
【００５３】
天吊りリアプロ投影モードは、天井等から液晶表示装置１００本体を逆さ向きに固定して、スクリーンの背面から投影する方式で用いられる。図６に、通常投影モード、天吊り投影モード、及び天吊りリアプロ投影モードにおける、液晶パネルの走査方向と各分割領域の概略図を示す。いずれも入力される画像は、図７と同様に「Ｆ」を表示した画像である。
【００５４】
通常投影モード（図６（ａ））では、液晶パネルの左上に入力されるべきデータから液晶パネルに入力される。よって液晶パネルは、液晶パネルの左上部分から走査を開始され、水平走査方向は左から右の方向、垂直走査方向は上から下の方向になるように順次走査される。天吊り投影モード（図６（ｂ））は、液晶パネルの右下に入力されるべきデータから液晶パネルに入力されるので、液晶パネルは、液晶パネルの右下部分から走査を開始され、水平走査方向は右から左の方向、垂直走査方向は下から上の方向となる。
【００５５】
天吊りリアプロ投影モード（図６（ｃ））は、通常投影モードの際に液晶パネルの入力される画像に対して上下が反転した画像が入力される。よって、液晶パネルの左下に入力されるべきデータから液晶パネルに入力されるので、液晶パネルは、液晶パネルの左下部分から走査を開始される。そして液晶パネルの水平走査方向が左から右の方向、垂直走査方向が下から上の方向になるように、液晶パネルが順次走査される。
【００５６】
よって、通常投影モードにおいては、分割領域ａ１、ａ２、ａ３、ａ４、ａ５、ａ６、ａ７、ａ８、ａ９の順に点灯するように、光源制御部１０９は光源１０５の制御を行う。また、天吊り投影モードにおいては、分割領域ａ９、ａ８、ａ７、ａ６、ａ５、ａ４、ａ３、ａ２、ａ１の順に点灯するように、光源制御部１０９は光源１０５の制御を行う。また、天吊りリアプロ投影モードにおいては、分割領域ａ７、ａ８、ａ９、ａ４、ａ５、ａ６、ａ１、ａ２、ａ３の順に点灯するように、光源制御部１０９は光源１０５の制御を行う。
【００５７】
なお、液晶表示装置１００を机などの上に置いてスクリーンの背面から投影するリアプロ投影モードでは、左右反転した画像が入力されるので、液晶パネルの右上に入力されるべきデータから液晶パネルに入力される。よって、液晶パネルは、液晶パネルの右上部分から走査を開始され、液晶パネルの水平走査方向が右から左の方向、垂直走査方向が上から下の方向になるように、液晶パネルが順次走査される。そして光源制御部１０９は、液晶パネルの走査順に同期するように、光源１０５の各分割領域を、分割領域ａ３、ａ２、ａ１、ａ６、ａ５、ａ４、ａ９、ａ８、ａ７の順に点灯するように制御する。
【００５８】
また、液晶表示装置１００を９０度回転させて使用する表示モードの場合にも、液晶制御部１０７が液晶パネル１０３の走査方向を変更したら、その走査方向に応じて光源制御部１０９が点灯制御する光源１０５の各分割領域の点灯順も変更される。例えば右に９０度回転させて液晶表示装置を使用する場合、表示する画像の左上のデータが、液晶パネルの左下に入力されるべきデータとして液晶パネルに入力される。よって、液晶パネルは、液晶パネルの左下部分から走査を開始され、左下部分から左上部分へ走査される。つまり、液晶パネルの垂直（液晶パネルの短辺方向）走査方向が下から上の方向、水平（液晶パネルの長辺方向）走査方向は右から左の方向になるように、液晶パネルが順次走査される。この場合、光源制御部１０９は光源１０５の各分割領域を、分割領域ａ７、ａ４、ａ１、ａ８、ａ５、ａ２、ａ９、ａ６、ａ３の順に点灯するように制御する。
【００５９】
以上のように、本実施形態においても、異なる表示モードを有する表示装置で、表示パネルの垂直走査方向または水平走査方向が変わる場合でも、光源の点灯タイミングを制御することで、表示パネルの応答特性に起因する動きボケを低減することができる。
【符号の説明】
【００６０】
１０１  投影光学系
１０３  液晶パネル
１０５  光源
１０６  光学系制御部
１０７  液晶制御部
１０８  画像処理部
１０９  光源制御部
１１０  ＣＰＵ
【図１】
2015114443.tif 000003
【図２】
2015114443.tif 000004
【図３】
2015114443.tif 000005
【図４】
2015114443.tif 000006
【図５】
2015114443.tif 000007
【図６】
2015114443.tif 000008
【図７】
2015114443.tif 000009
【図８】
2015114443.tif 000010